(57)【特許請求の範囲】
【請求項１】
環状室を画定するハウジングであって、前記環状室が該環状室を横切って延びる仕切りの両側に配置された入口ポートおよび出口ポートを有する、ハウジングと、
前記環状室の一方の側面を形成する、可撓性を有する環状のダイヤフラムであって、前記環状室の第２の側面を形成している前記ハウジングの壁面に面し、最も内側の縁部および最も外側の縁部が前記ハウジングに封着されている、ダイヤフラムと、
前記ダイヤフラムと一体である脚であって、前記ダイヤフラムから離れる方向に延び、かつ前記ダイヤフラムの周りにある角度を持って延びている脚と、
内側クランプリングおよび外側クランプリングによって前記ダイヤフラムの前記脚に結合されている斜板であって、使用中、該斜板の移動により前記ダイヤフラムを前記ハウジングの前記壁面に前進的に押し付けて、前記環状室の周りの前記仕切りの一方の側の前記入口ポートで吸い込まれた流体を押しやるとともに、その流体を前記仕切りの他方の側の前記出口ポートで吐出するようになっている斜板と、
前記斜板と前記ダイヤフラムとの間のシールリングと
を備えるロータリーポンプ。
【請求項２】
前記シールリングが開口部を備え、前記斜板が前記開口部を通って前記ダイヤフラムと結合している、請求項１に記載のロータリーポンプ。
【請求項３】
前記斜板が、前記内側クランプリングと前記外側クランプリングのスナップフィッティングによって前記ダイヤフラムに結合されている、請求項１又は２に記載のロータリーポンプ。
【請求項４】
前記環状室の前記第２の側面を形成する前記ハウジングの前記壁面が前記斜板の方に行くほど先細りにされている、請求項１〜３のいずれか一項に記載のロータリーポンプ。
【請求項５】
前記斜板を移動させるための回転可能なシャフトをさらに備える、請求項１〜４のいずれか一項に記載のロータリーポンプ。
【請求項６】
前記斜板が、前記シャフトの回転軸線に対して偏心している偏心軸受を介して前記シャフトに連結されている、請求項５に記載のロータリーポンプ。
【請求項７】
前記シャフトが、連結軸受を介して前記ハウジングに連結されている、請求項５または６に記載のロータリーポンプ。
【請求項８】
前記シャフトが、前記シャフトをモータに回転可能に結合するための管部材をさらに備える、請求項５〜７のいずれか一項に記載のロータリーポンプ。
【請求項９】
前記管部材が可撓性材料で作製されている、請求項８に記載のロータリーポンプ。
【発明の詳細な説明】
【技術分野】
【０００１】
本発明は、ロータリーポンプに関する。
【背景技術】
【０００２】
ロータリーポンプは、回転要素が回転中に多量の媒体をポンプの吸込（入口）端部から吐出（出口）端部まで機械的に移動させるという概念に基づいている。１回の回転で一定体積の液体を押しのける。ロータリーポンプの典型的な例が、ダイヤフラムポンプ、歯車ポンプ、およびロータリーベーンポンプである。
【０００３】
既存のロータリーポンプの設計の一例が、中国特許出願公開第２０２４８３８４５号明細書に示されている。同明細書は、ポンプ内でダイヤフラムを上下に移動させるようにピストンと係合する斜板（ｓｗａｓｈｐｌａｔｅ）を採用したポンプを開示している。
【０００４】
別のポンプの設計が、欧州特許出願公開第０，８１９，８５３号明細書に示されている。同明細書は、偏心駆動軸受によって中心部分が旋回させられる管状可撓性ダイヤフラムを備えるポンプを開示している。
【発明の概要】
【０００５】
本発明によれば、請求項１に記載のロータリーポンプが提供される。
【０００６】
本発明は、効率的なポンプ運転のためにダイヤフラムの面を使用して入口ポート（単に「入口」ともいう）および出口ポート（単に「出口」ともいう）を適切に開閉する。
【０００７】
ダイヤフラムの一部がハウジングの対向する壁面に常に押し付けられているので、入口および出口は常に互いに隔離される。したがって、ポンプ内の独立した入口弁および出口弁の必要性がなくなる。この種の弁が必要ないので、本発明のポンプは、ポンプが双方向性であるという利点もある。
【０００８】
ダイヤフラムの周囲でポンプの斜板および他の構成要素と接して漏出し得る流体を最小限に抑えるために、ポンプは、斜板とダイヤフラムとの間にシールリングをさらに備えてもよい。
【０００９】
シールリングは好ましくは開口部を備え、斜板は開口部を通ってダイヤフラムと結合する。
【００１０】
斜板は、ポンプの使用中に外れるかもしれない締結手段の使用を回避するために、スナップフィッティングによってダイヤフラムに結合されることが好ましい。
【００１１】
環状室の第２の側面を形成するハウジングの壁面は、ポンプによってもたらされる押しのけ量を増大させるために、斜板の方に向かって先細りにされるとよい。
【００１２】
ポンプは、斜板を移動させるための回転可能なシャフトをさらに備えることが好ましい。この場合、斜板は、シャフトの回転軸線に対して偏心している偏心軸受を介してシャフトに連結されてもよい。
【００１３】
ポンプの使用中の望まれない振動を低減するために、シャフトは、連結軸受を介してハウジングに連結されてもよい。
【００１４】
シャフトは、シャフトをモータに回転可能に結合するための管部材をさらに備えてもよい。これにより、シャフトは多種多様なモータに結合することが可能になる。この場合、管部材は、管部材の耐久性を向上させるために、可撓性材料、例えばシリコンで製作されてもよい。
【００１５】
次に、本発明について図を参照しながら説明する。
【図面の簡単な説明】
【００１６】
【図１Ａ】本発明のポンプの斜視図である。
【図１Ｂ】図１ＡのポンプのＸ−Ｘ’平面に沿った倒立断面図である。
【図１Ｃ】図１ＡのポンプのＹ−Ｙ’平面に沿った断面図であり、矢印はポンプの周りの流体流れの主方向を示す。
【図１Ｄ】図１Ａのポンプの分解斜視図である。
【図１Ｅ】図１Ａのポンプの一部の分解斜視図である。
【図２】図１Ａのポンプの断面図であり、ポンプの一部をより詳細に示す。
【図３】シールリングの斜視図である。
【発明を実施するための形態】
【００１７】
図１Ａを参照すると、ロータリーポンプが示されている。ロータリーポンプは流体を受けるための環状流路３０を備え、環状流路３０はポンプの中央円形部分５内に配置されている。流体入口３２が流路３０の第１の端部と接続しており、流体出口３４が流路の他方の端部と接続している。仕切り壁３６が流路の２つの端部を互いに隔てている。
【００１８】
環状ダイヤフラム１が流路３０を覆って嵌着する。ダイヤフラムは可撓性があり、使用中、流路３０の複数の部分に順次押し付けられて、流体を入口から流路３０の周囲にかけて押し、出口から送り出すように動作可能である。
【００１９】
シールリング２が、シールリング２と流路３０との間にダイヤフラムが挟まれるようにダイヤフラム１の上部に装着されている。シールリングは、ダイヤフラムの周囲で漏出し得る流体がポンプの残りの領域に侵入するのを防止する。
【００２０】
シールリング２の上部に斜板組立体５０があり、斜板組立体５０は、３つの部品、すなわち、外側クランプリング３、内側クランプリング４、および偏心シャフト組立体１１から形成される。内側クランプリングおよび外側クランプリングは、図１Ｂに示されているように、互いにスナップフィットされ、偏心シャフト組立体の周りに配置される。組み立てられた後、偏心シャフト組立体１１は、外側クランプリング３が内側クランプリング４から分離されるのを防止する。
【００２１】
ダイヤフラム１は、図２（参照しやすいように、シールリング２は図２に示されていない）に示されているように、斜板組立体５０から脚３８によって外側クランプリング３および内側クランプリング４とスナップフィットして係合する。必要に応じて、脚３８は、脚３８と内側クランプリング４との間の接続を改善するために、内側クランプリング４の対応する凹所と係合するための一連の突出部または環状セレーション３８ａを備えてもよい。
【００２２】
斜板組立体５０がダイヤフラム１上での制御量を最大にするために、図１Ｄに最も良く示されているように、脚３８はダイヤフラム１の周囲のできるだけ多くの部分で延びている。
【００２３】
脚３８がダイヤフラム１を斜板組立体５０に確実に結合できるようにするために、シールリング２は、脚３８の位置に合致する１組の対応する円周スロットを備える。
【００２４】
後で説明するように、使用時に偏心シャフト組立体を回転させるために、モータ６が偏心シャフト組立体に回転可能に結合されている。偏心シャフト組立体は４つのサブの構成要素を備える。第１の構成要素は、モータシャフトと結合する管１１ａである。管は、管の耐久性を向上させるために、可撓性材料、例えばシリコーンで製作されることが好ましい。この管を、偏心外面を有する円筒体１１ｂが取り囲んでいる。円筒体１１ｂを３つの軸受が取り囲んでおり、そのうちの軸受１０がシャフト組立体１１と中央円形部分５を連結し、軸受１１ｃがシャフト組立体１１とポンプを連結し、軸受１１ｄがシャフトと内側クランプリング４を連結する。
【００２５】
ポンプの使用中、管１１ａは、軸受１０に伝達されるラジアル衝撃加重の大きさを低減するのに役立つ。
【００２６】
ポンプの可動部分を保護するために、ポンプの底部は蓋７を備え、蓋７は、モータ６を覆うように中央円形部分５と係合する。ポンプは上蓋８も具備し、上蓋８は、斜板組立体５０を覆うように中央円形部分５と係合する。上蓋８は、シールリング２を所定の位置に固定する働きもする。図１Ａ〜図１Ｄに示されているように、２つのねじ９が上蓋８、中央円形部分５、およびシールリング２を一体に結合するために使用される。
【００２７】
ポンプの動作は図１Ｂに最も良く示されている。当初、ポンプの構成要素は図１Ｄに示されているように組み立てられる。
【００２８】
ポンプの組立状態では、モータ６を駆動して管１１ａおよび偏心円筒体１１ｂを回転させる。円筒体１１ｂが回転すると、円筒体１１ｂの偏心外面は、外側クランプリング３および内側クランプリング４（円筒体１１ｂに連結される）をポンプ内部で斜板５０として機能させる。外側クランプリング３および内側クランプリング４は脚３８によってダイヤフラム１に結合されるので、ダイヤフラム１は斜板５０と同調して動く。脚３８は、斜板が動くときにダイヤフラム１の最大押しのけ量をもたらすようにダイヤフラム１の中間領域に結合される。これは、ダイヤフラム１の最も内側の領域および最も外側の領域がポンプの他の部分によって所定の位置に固定されるからである。
【００２９】
斜板５０のある角部分（ａｎｇｕｌａｒ  ｐｏｒｔｉｏｎ）がその最上位置にあるとき、ダイヤフラム１の対応する角部分は押し込まれて流路壁３０と接する（図１Ｂの左側を参照）。モータおよび斜板が回転すると、ダイヤフラムの最上部分（流路壁３０と接触している）の位置は流路の周りを前進的に動く。その際、ダイヤフラムと流路壁３０との間に入れられかつこの最上部分の前方の角度位置にある流体は流路の周囲を押される。
【００３０】
ダイヤフラムの一部が流路壁３０と常に接触しているため、ポンプの入口は出口から常に流体的に分離されている。このため、ポンプは別々の入口弁または出口弁を有する必要がない。このような弁を有していないことで、ポンプの設計を単純にするとともに、ポンプは双方向性となる。
【図１Ａ】
0006338258.tif 000002
【図１Ｂ】
0006338258.tif 000003
【図１Ｃ】
0006338258.tif 000004
【図１Ｄ】
0006338258.tif 000005
【図１Ｅ】
0006338258.tif 000006
【図２】
0006338258.tif 000007
【図３】
0006338258.tif 000008